(57)【特許請求の範囲】
【請求項１】
電解質膜及び電極を有する燃料電池セルが複数の積層された燃料電池スタックの電池性能を計算する燃料電池スタックのシミュレーション方法であって、
前記複数の燃料電池セルのうちの第１電解質膜を有する第１セル及び第２電解質膜を有する第２セルが隣接して位置し、
前記第１電解質膜内に位置する任意の面を第１基準面とし、前記第１基準面の電位又は電流密度である第１既定値を設定する第１設定ステップと、
前記第２電解質膜内に位置する任意の面を第２基準面とし、前記第２基準面の電位又は電流密度である第２既定値を設定する第２設定ステップと、
前記第１既定値及び前記第２既定値を用いて、前記第１基準面及び前記第２基準面の間の電池性能を計算する第１算出ステップと、
を備えた、
燃料電池スタックのシミュレーション方法。
【請求項２】
前記第１基準面は、前記燃料電池スタックの積層方向と直交する、請求項１に記載の燃料電池スタックのシミュレーション方法。
【請求項３】
前記第１基準面には、第１既定値に一定の電位値を設定する、請求項１に記載の燃料電池スタックのシミュレーション方法。
【請求項４】
前記第１基準面には、第１既定値に一定の電流密度値を設定する、請求項１に記載の燃料電池スタックのシミュレーション方法。
【請求項５】
前記第２基準面は、前記燃料電池スタックの積層方向と直交する、請求項１に記載の燃料電池スタックのシミュレーション方法。
【請求項６】
前記第２基準面には、第２既定値に一定の電位値を設定する、請求項１に記載の燃料電池スタックのシミュレーション方法。
【請求項７】
前記第２基準面には、第２既定値に一定の電流密度値を設定する、請求項１に記載の燃料電池スタックのシミュレーション方法。
【請求項８】
前記電池性能には、電位、電流密度、圧力、温度、濃度の物理量を含む請求項１に記載の燃料電池スタックのシミュレーション方法。
【請求項９】
電解質膜及び電極を有する燃料電池セルが複数の積層された燃料電池スタックの電池性能を計算する燃料電池スタックのシミュレーション装置であって、
前記複数の燃料電池セルのうちの第１電解質膜を有する第１セル及び第２電解質膜を有する第２セルが隣接して位置し、
前記第１電解質膜内に位置する任意の面を第１基準面とし、前記第１基準面の電位又は電流密度である第１既定値を設定する第１設定器と、
前記第２電解質膜内に位置する任意の面を第２基準面とし、前記第２基準面の電位又は電流密度である第２既定値を設定する第２設定器と、
前記第１既定値及び前記第２既定値を用いて、前記第１基準面及び前記第２基準面の間の電池性能を計算する第１算出器と、
を備えた、
燃料電池スタックのシミュレーション装置。
【発明の詳細な説明】
【技術分野】
【０００１】
本発明は、燃料電池スタックのシミュレーション方法及びシミュレーション装置に関するものであり、燃料電池スタックの性能算出を効率的にシミュレーションする技術に関するものである。
【背景技術】
【０００２】
家庭用燃料電池コージェネレーションシステムであるエネファーム（登録商標）の市場拡大や、２０１５年に燃料電池自動車の実用化、普及が見込まれているなどの状況から、現在、セルを直列に積層して結合して成る燃料電池システムの心臓部である燃料電池スタックの性能向上に関係各社が力を注いでいる。
【０００３】
そのような状況の中にあって、燃料電池スタックの電池性能の算出をシミュレーションで行うことにより、効率的で高精度に電池性能の算出を行うことが期待されている。燃料電池スタックのシミュレーションの目的は、単セルや燃料電池スタックの構成、運転条件に基づき、燃料電池スタックの性能算出を行うことである。
【０００４】
これは燃料電池に関連するシミュレーションとしては解析サイズが最大のものとなる。この他の解析スケールでは、触媒層の構造のシミュレーションや、その作成プロセスに関係するシミュレーション、さらに燃料電池単セルのシミュレーションなどが存在しているが、そのスケールにより種々のアプローチが知られている。
【０００５】
上記の触媒層の構造のシミュレーションでは、実際の触媒層の構造をＳＥＭ（走査形電子顕微鏡）やＴＥＭ（透過型電子顕微鏡）で観測した画像から、ボリュームレンダリングで構造を再現したり、触媒層の代表的なパラメータを抽出し、そこから仮想的な触媒構造を作成したりすることで、シミュレーションに必要な解析構造を決定し、物質輸送と電気化学反応を連立することで、触媒層の能力の算出が行われている。
【０００６】
また触媒層の作成プロセスに関係するシミュレーションにおいては、分子動力学、粗視化分子動力学、散逸粒子動力学などの適用により、材料及び作成プロセスと触媒層の構造との紐付けが報告され始めている。
【０００７】
燃料電池単セルの性能算出に関しては、市販ツールのAnsys Fluent（登録商標）のプラットフォーム化と各種構成則モデルの作り込みにより、精度よくシミュレーションできるようになっており、それを多段に積層した燃料電池スタックにおいても、特許文献１にあるような発明手法を利用することで、大規模なシミュレーションが可能となり、スタックの中段に配置された代表セルの電池性能が算出可能となっている。
【０００８】
一般に燃料電池スタックのシミュレーションは、計算の規模が非常に大きくなるため、計算時間や収束性に難点を持つが、簡略化圧力損失体に代表される簡易燃料電池スタックモデルを用いて、燃料電池スタック内のガスの流れ解析計算を実施してから個別のセルのガスの流れ解析計算を行うことで、計算時間の短縮と収束性の確保を図るとしているものもある。
【先行技術文献】
【特許文献】
【０００９】
【特許文献１】特開２００７−３０５４１９号公報
【発明の概要】
【発明が解決しようとする課題】
【００１０】
しかしながら、特許文献１で開示された技術は、燃料電池スタックのシミュレーションにおいて、中段に配置された代表セルの電池性能の算出に適用した場合、単セルを多数積層した構造で全セルの電池性能を算出した上で、中段に配置されたセルの電池性能を代表セルの電池性能とすることで当該セルの電池性能を算出するため、単セルの計算に比べて計算時間がかかり、且つ計算能力の高い解析装置が必要になるという課題を有していた。
【００１１】
本発明は、上記従来の課題を解決するもので、単セルの場合とほぼ同じ計算規模と計算時間で、燃料電池スタックの代表セルの電池性能の算出を可能とすることを目的とする。
【課題を解決するための手段】
【００１２】
上記従来の課題を解決するために、本発明の燃料電池スタックのシミュレーション方法は、電解質膜及び電極を有する燃料電池セルが複数の積層された燃料電池スタックの電池性能を計算する燃料電池スタックのシミュレーション方法であって、複数の燃料電池セルのうちの第１電解質膜を有する第１セル及び第２電解質膜を有する第２セルが隣接して位置し、第１電解質膜内に位置する任意の面を第１基準面とし、第１基準面の電位又は電流密度である第１既定値を設定する第１設定ステップと、第２電解質膜内に位置する任意の面を第２基準面とし、第２基準面の電位又は電流密度である第２既定値を設定する第２設定ステップと、第１既定値及び第２既定値を用いて、第１基準面及び第２基準面の間の電池性能を計算する第１算出ステップと、を備えている。
【００１３】
これによって、燃料電池スタックの中段に配置され、隣接セルと周期的な境界で繋がる代表セルの境界条件を設定できるようになり、単セルの場合とほぼ同じ計算規模と計算時間で、燃料電池スタックの代表セルの電池性能の算出が可能となる。
【発明の効果】
【００１４】
本発明は、電解質膜内の第１基準面と第２基準面に電位又は電流密度を設定することで、燃料電池スタックの中段に配置され、隣接セルと周期的な境界で繋がる代表セルの境界条件を設定できるようになり、単セルの場合とほぼ同じ計算規模と計算時間で、燃料電池スタックの代表セルの電池性能の算出を可能にすることができる。
【図面の簡単な説明】
【００１５】
【図１】本発明の実施の形態１から実施の形態３における燃料電池スタックのシミュレーション方法における境界の設定方法の概念図
【図２】本発明の実施の形態１における燃料電池スタックのシミュレーション方法のフローチャート
【図３】本発明の実施の形態２における燃料電池スタックのシミュレーション方法のフローチャート
【図４】本発明の実施の形態３における燃料電池スタックのシミュレーション方法のフローチャート
【発明を実施するための形態】
【００１６】
はじめに、発明を実施するための形態に至った発見的事実について述べる。本発明者は燃料電池スタックのシミュレーション結果に対し、鋭意検討を重ねた結果、次の二つの事実に着眼するに至った。
【００１７】
一つ目は、燃料電池スタック内のあるセルのセパレータ端面内で５０ミリボルト程度の電位差が生じているような場合であっても、そのセルの電解質膜中心の積層面の電位分布はほぼフラットで一定値になっていることである。
【００１８】
二つ目は、燃料電池スタック内のあるセルのセパレータの端面内で大きな電位差が同様に生じている場合には、アノード側で生じる面内電流を正確に打ち消す方向に、カソード側で電位が分布していること、言い換えれば、あるセルのセパレータ端面におけるアノード側の電位分布とカソード側の電位分布は電解質膜面の電位分布に対して鏡面対称の関係になっていることである。
【００１９】
当然、これらの電位分布に関する境界条件は、セパレータ端面内で電位差が生じないケースも包含しており、広く適用可能な条件となっている。
【００２０】
ここで、アノード側とカソード側で面内電流を打ち消すように各々の電位分布が決定される理由を簡単に考察する。燃料電池スタックはセルを多数積層したものであるから、両端部のセルを除き、端部以外に位置するセルは、セルごとにおおよそ周期的な物理量の分布（例えば温度や電流密度）を持っていることが予測される。
【００２１】
しかしながら、仮にアノード側の面内電流とカソード側の面内電流が打ち消しあわなければ、そのセルで正味の面内電流が形成されることになり、積層方向に面内電流が蓄積されることになり、その周期性が崩れる。よって、端部以外に位置するセルが周期的な物理量の分布を持つためには両端面で面内電流が相殺される必要がある。
【００２２】
また、アノード側とカソード側の面内電流が打ち消しあうとき、アノード側の電位分布とカソード側の電位分布は電解質膜面の電位分布に対して鏡面対称の関係になっていることが予測されるので、燃料電池セルの構成上、電解質膜の積層面中心の電位分布はほぼフラットで一定値になることも容易に説明できる。
【００２３】
次に、この発見的事実に基づき、燃料電池スタックのシミュレーションを効率的に行う本発明について述べる。ここでは、各算出ステップの手順に沿って本発明の実施の形態を説明する。なお、この実施の形態によって本発明が限定されるものではない。
【００２４】
第１の発明は、電解質膜及び電極を有する燃料電池セルが複数の積層された燃料電池スタックの電池性能を計算する燃料電池スタックのシミュレーション方法であって、複数の燃料電池セルのうちの第１電解質膜を有する第１セル及び第２電解質膜を有する第２セルが隣接して位置し、第１電解質膜内に位置する任意の面を第１基準面とし、第１基準面の電位又は電流密度である第１既定値を設定する第１設定ステップと、第２電解質膜内に位置する任意の面を第２基準面とし、第２基準面の電位又は電流密度である第２既定値を設定する第２設定ステップと、第１既定値及び第２既定値を用いて、第１基準面及び第２基準面の間の電池性能を計算する第１算出ステップと、を備えた、燃料電池スタックのシミュレーション方法である。
【００２５】
これにより、電解質膜内の第１基準面と第２基準面に電位又は電流密度を設定することで、燃料電池スタックを構成するセルの平均的な電池性能の算出が可能になり、単セルの計算規模で燃料電池スタックの電池性能を算出することが可能となる。
【００２６】
第２の発明は、特に、第１の発明における第１基準面が、燃料電池スタックの積層方向と直交するものであり、これにより、第１基準面の幾何形状として、積層方向と直行する平面を利用できるようになり、第１基準面内の物理量を容易に設定することができる。
【００２７】
第３の発明は、特に、第１の発明における第１基準面には、第１既定値に一定の電位値を設定するものであり、これにより、一定の既定電位を利用できるようになり、第１基準面が等電位面になる場合に適した境界条件を設定することができる。
【００２８】
第４の発明は、特に、第１の発明における第１基準面には、第１既定値に一定の電流密度値を設定するものであり、これにより、一定の既定電流密度を利用できるようになり、第１基準面の電流密度を簡便に設定することができる。
【００２９】
第５の発明は、特に、第１の発明における第２基準面が、燃料電池スタックの積層方向と直交するものであり、これにより、第２基準面の幾何形状として、積層方向と直行する平面を利用できるようになり、第２基準面内の物理量を容易に設定することができる。
【００３０】
第６の発明は、特に、第１の発明における第２基準面には、第２既定値に一定の電位値を設定するものであり、これにより、一定の既定電位を利用できるようになり、第２基準面が等電位面になる場合に適した境界条件を設定することができる。
【００３１】
第７の発明は、特に、第１の発明における第２基準面には、第２既定値に一定の電流密度値を設定するものであり、これにより、一定の既定電流密度を利用できるようになり、第２基準面の電流密度を簡便に設定することができる。
【００３２】
第８の発明は、特に、第１の発明における、電池性能には、電位、電流密度、圧力、温度、濃度の物理量を含むものであり、これにより、実測では検知不可能又は困難な燃料電池スタック内部の物理量を計算できるようになり、転極対策や発電バランスの最適化などの燃料電池スタックの設計に有益な情報を提供することができる。
【００３３】
第９の発明は、電解質膜及び電極を有する燃料電池セルが複数の積層された燃料電池スタックの電池性能を計算する燃料電池スタックのシミュレーション装置であって、複数の燃料電池セルのうちの第１電解質膜を有する第１セル及び第２電解質膜を有する第２セルが隣接して位置し、第１電解質膜内に位置する任意の面を第１基準面とし、第１基準面の電位又は電流密度である第１既定値を設定する第１設定器と、第２電解質膜内に位置する任意の面を第２基準面とし、第２基準面の電位又は電流密度である第２既定値を設定する第２設定器と、第１既定値及び第２既定値を用いて、第１基準面及び第２基準面の間の電池性能を計算する第１算出器と、を備えた燃料電池スタックのシミュレーション装置である。
【００３４】
これにより、電解質膜内の第１基準面と第２基準面に電位又は電流密度を設定することで、燃料電池スタックを構成するセルの平均的な電池性能の算出が可能になり、単セルの計算規模で燃料電池スタックの電池性能を算出することが可能となる。
【００３５】
（実施の形態１）
図１は、本発明の実施の形態１における燃料電池スタックのシミュレーション方法における境界の設定方法の概念図である。図２は、本発明の実施の形態１の燃料電池スタックのシミュレーション方法のフローチャートである。
【００３６】
図１に示すように、実施の形態１の燃料電池スタック５は、第１端部セル１、中段に配置された第１セル２、中段に配置された第２セル３、第２端部セル４、アノード側の集電板６及びカソード側の集電板７、第１基準面８、第２基準面９から構成されている。
【００３７】
第１算出ステップは、燃料電池スタック５の中段に配置された第１セル２に対して、電解質膜内に位置する第１基準面８に対して一定の電位を設定する。第１基準面８に一定の値を設定できる理由は、燃料電池スタック内のあるセルのセパレータ端面内で５０ミリボルト程度の電位差が生じているような場合であっても、そのセルの電解質膜中心の積層面の電位分布はほぼフラットになるという発見的事実に基づくものである。
【００３８】
さらに第１セル２に隣接する燃料電池スタック５の中段に配置された第２セル３に対して、電解質膜内に位置する第２基準面９に対して一定の電位を設定する。第２基準面９に一定の値を設定できる理由は、燃料電池スタック内のあるセルのセパレータ端面内で５０ミリボルト程度の電位差が生じているような場合であっても、そのセルの電解質膜中心の積層面の電位分布はほぼフラットになるという発見的事実に基づくものである。
【００３９】
次に第１算出ステップでは、電位の境界条件を第１基準面８と第２基準面９に設定した上で、第１基準面８と第２基準面９に挟まれた領域の電池性能算出をシミュレーションで行う。ここで言及する電池性能の算出とは、電位、電流、圧力、温度、濃度を含む電池の内部物理量を算出することを示すものとする。
【００４０】
第１算出ステップで最も注意しなければならないことは、第１基準面８と第２基準面９が電解質膜内に位置することから、電位の境界条件は電子の電位ではなく、水素イオンの電位で設定することである。
【００４１】
本実施の形態のフローは、図２に示すように、Ｓ００１でスタートし、Ｓ００２で第１基準面８に一定の電位を設定し、Ｓ００３で第２基準面９に一定の電位を設定し、Ｓ００４で第１基準面８と第２基準面９に挟まれた領域の電池性能算出を行う。
【００４２】
ここで算出した第１基準面８と第２基準面９に挟まれた領域の電池性能は、燃料電池スタックの中段に配置される電解質膜間の電池性能であり、燃料電池スタックを構成する一組のセルの電池性能とは異なるものである。
【００４３】
しかしながら、電解質膜中心の積層面の電位分布が、ほぼフラットになることを考えれば、端部セルを除けば、電解質膜間の電位差を燃料電池スタックの中段に配置される代表セルの電池性能と定義することが妥当であることが説明できる。
【００４４】
また、燃料電池スタックの中段に配置される代表セルの電池性能は、隣接するセルの電池性能と似通った特性を持つことが推測されることから、本実施の形態により得られた電池性能を基に、一組のセルの電池性能も容易に推測することが可能である。
【００４５】
例えば、中央部に配置されるセパレータに切断面を設け、片側の計算領域を平行に移動させて電解質膜が接するような解析領域を新たに構成することで、当該セルの電池性能を求めることができる。
【００４６】
さらに、電解質膜間で計算を行う本実施の形態の計算量は、メッシュ数では単セルの場合と正確に等価である上、解くべき物理方程式系も同一であることから、単セルの計算量とほぼ等価であることも説明できる。
【００４７】
以上、本実施の形態により、燃料電池スタックの中段に配置され、隣接セルと周期的な境界で繋がる中段のセル、つまりは燃料電池スタックの代表セルの電池性能が、単セルの場合の計算規模と計算時間が、ほぼ同一でありながら、算出することが可能となる。
【００４８】
（実施の形態２）
図１は、本発明の実施の形態２における燃料電池スタックのシミュレーション方法における境界の設定方法の概念図である。図３は、本発明の実施の形態２の燃料電池スタックのシミュレーション方法のフローチャートである。
【００４９】
第１算出ステップは、燃料電池スタック５の中段に配置された第１セル２に対して、電
解質膜内に位置する第１基準面８に対して一定の電流密度を仮定し設定する。
【００５０】
さらに第１セル２に隣接する燃料電池スタック５の中段に配置された第２セル３に対して、電解質膜内に位置する第２基準面９に対して一定の電位を設定する。第２基準面９に一定の値を設定できる理由は、燃料電池スタック内のあるセルのセパレータ端面内で５０ミリボルト程度の電位差が生じているような場合であっても、そのセルの電解質膜中心の積層面の電位分布はほぼフラットになるという発見的事実に基づくものである。
【００５１】
次に第１算出ステップでは、電位の境界条件を第１基準面８と第２基準面９に設定した上で、第１基準面８と第２基準面９に挟まれた領域の電池性能算出をシミュレーションで行う。ここで言及する電池性能の算出とは、電位、電流、圧力、温度、濃度を含む電池の内部物理量を算出することを示すものとする。
【００５２】
第１算出ステップで最も注意しなければならないことは、第１基準面８と第２基準面９が電解質膜内に位置することから、電位または電流密度の境界条件は、電子の電位ではなく、水素イオンの電位または電位勾配で設定することである。
【００５３】
本実施の形態のフローは、図３に示すように、Ｓ１０１でスタートし、Ｓ１０２で第１基準面８に一定の電流密度を設定し、Ｓ１０３で第２基準面９に一定の電位を設定し、Ｓ１０４で第１基準面８と第２基準面９に挟まれた領域の電池性能算出を行う。
【００５４】
ここで算出した第１基準面８と第２基準面９に挟まれた領域の電池性能は、半セル分ずらした燃料電池スタックの中段に配置される電解質膜間の電池性能であり、燃料電池スタックを構成する一組のセルの電池性能とは異なるものである。
【００５５】
しなしながら、電解質膜中心の積層面の電位分布が、ほぼフラットになることを考えれば、端部セルを除けば、電解質膜間の電位差を燃料電池スタックの中段に配置される代表セルの電池性能と定義することが妥当であることが説明できる。
【００５６】
また、燃料電池スタックの中段に配置される代表セルの電池性能は、隣接するセルの電池性能と似通った特性を持つことが推測されることから、本実施の形態により得られた電池性能を基に、一組のセルの電池性能も容易に推測することが可能である。
【００５７】
例えば、中央部に配置されるセパレータに切断面を設け、片側の計算領域を平行に移動させて電解質膜が接するような解析領域を新たに構成することで、当該セルの電池性能を求めることができる。
【００５８】
さらに、電解質膜間で計算を行う本実施の形態の計算量は、メッシュ数では単セルの場合と正確に等価である上、解くべき物理方程式系も同一であることから、単セルの計算量とほぼ等価であることも説明できる。
【００５９】
以上、本実施の形態により、燃料電池スタックの中段に配置され、隣接セルと周期的な境界で繋がる中段のセル、つまりは燃料電池スタックの代表セルの電池性能が、単セルの場合の計算規模と計算時間がほぼ同一でありながら、算出することが可能となる。
【００６０】
（実施の形態３）
図１は、本発明の実施の形態３における燃料電池スタックのシミュレーション方法における境界の設定方法の概念図である。図４は、本発明の実施の形態３の燃料電池スタックのシミュレーション方法のフローチャートである。
【００６１】
第１算出ステップは、燃料電池スタック５の中段に配置された第１セル２に対して、電解質膜内に位置する第１基準面８に対して一定の電位を設定する。第１基準面８に一定の値を設定できる理由は、燃料電池スタック内のあるセルのセパレータ端面内で５０ミリボルト程度の電位差が生じているような場合であっても、そのセルの電解質膜中心の積層面の電位分布はほぼフラットになるという発見的事実に基づくものである。
【００６２】
さらに第１セル２に隣接する燃料電池スタック５の中段に配置された第２セル３に対して、電解質膜内に位置する第２基準面９に対して一定の電流密度を仮定し設定する。
【００６３】
次に第１算出ステップでは、電位の境界条件を第１基準面８と第２基準面９に設定した上で、第１基準面８と第２基準面９に挟まれた領域の電池性能算出をシミュレーションで行う。ここで言及する電池性能の算出とは、電位、電流、圧力、温度、濃度を含む電池の内部物理量を算出することを示すものとする。
【００６４】
第１算出ステップで最も注意しなければならないことは、第１基準面８と第２基準面９が電解質膜内に位置することから、電位または電流密度の境界条件は電子の電位でなく、水素イオンの電位または電位勾配で設定することである。
【００６５】
本実施の形態のフローは、図４に示すように、Ｓ２０１でスタートし、Ｓ２０２で第１基準面８に一定の電位を設定し、Ｓ２０３で第２基準面９に一定の電位を設定し、Ｓ２０４で第１基準面８と第２基準面９に挟まれた領域の電池性能算出を行う。
【００６６】
ここで算出した第１基準面８と第２基準面９に挟まれた領域の電池性能は、半セル分ずらした燃料電池スタックの中段に配置される電解質膜間の電池性能であり、燃料電池スタックを構成する一組のセルの電池性能とは異なるものである。
【００６７】
しかしながら、電解質膜中心の積層面の電位分布が、ほぼフラットになることを考えれば、端部セルを除けば、電解質膜間の電位差を燃料電池スタックの中段に配置される代表セルの電池性能と定義することが妥当であることが説明できる。
【００６８】
また、燃料電池スタックの中段に配置される代表セルの電池性能は、隣接するセルの電池性能と似通った特性を持つことが推測されることから、本実施の形態により得られた電池性能を基に、一組のセルの電池性能も容易に推測することが可能である。
【００６９】
例えば、中央部に配置されるセパレータに切断面を設け、片側の計算領域を平行に移動させて電解質膜が接するような解析領域を新たに構成することで、当該セルの電池性能を求めることができる。
【００７０】
さらに、電解質膜間で計算を行う本実施の形態の計算量は、メッシュ数では単セルの場合と正確に等価である上、解くべき物理方程式系も同一であることから、単セルの計算量とほぼ等価であることも説明できる。
【００７１】
以上、本実施の形態により、燃料電池スタックの中段に配置され、隣接セルと周期的な境界で繋がる中段のセル、つまりは燃料電池スタックの代表セルの電池性能が、単セルの場合の計算規模と計算時間がほぼ同一でありながら、算出することが可能となる。
【産業上の利用可能性】
【００７２】
以上のように、本発明にかかる燃料電池スタックのシミュレーション方法及びシミュレーション装置は、電解質膜内の第１基準面と第２基準面に電位又は電流密度を設定することで、燃料電池スタックの中段に配置され、隣接セルと周期的な境界で繋がる代表セルの
境界条件を設定できるようになり、単セルの場合の計算規模と計算時間がほぼ同一でありながら、燃料電池スタックの代表セルの電池性能の算出が可能となるので、燃料電池スタック開発の、コスト削減、開発期間の削減を図ることが可能となる。
【符号の説明】
【００７３】
１  端部セル
２  第１セル
３  第２セル
４  端部セル
５  燃料電池スタック
６  アノード側の集電板
７  カソード側の集電板
８  第１基準面
９  第２基準面
【図１】
0006467628.tif 000002
【図２】
0006467628.tif 000003
【図３】
0006467628.tif 000004
【図４】
0006467628.tif 000005